(57)【特許請求の範囲】
【請求項１】
携帯端末上におけるフォーム操作のための方法であって、
スクリーン上の入力されたカスタマイズハンドジェスチャを検出し、前記検出されたカスタマイズハンドジェスチャを対応関係に格納することによって、前記対応関係にハンドジェスチャを追加することと、
スクリーン上の入力されたハンドジェスチャを検出し、前記入力されたハンドジェスチャの軌跡を取得することと、
前記入力されたハンドジェスチャの前記取得された軌跡を前記対応関係における１つ又は複数のハンドジェスチャと照合することと、
照合が一致したことに応じて、対応するフォーム操作をトリガすることと
を含み、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
方法。
【請求項２】
前記対応関係に前記ハンドジェスチャを追加することとが更に、
前記対応関係に前記ハンドジェスチャを追加するかどうかを確かめることと、
前記ハンドジェスチャを追加するための入力を受信することに応じて、
ハンドジェスチャ設定ページを表示し、
前記スクリーン上の前記入力されたカスタマイズハンドジェスチャを検出し、
対応するハンドジェスチャ比較規則及び対応するフォーム操作を設定することと、
前記検出されたカスタマイズハンドジェスチャ、前記対応するハンドジェスチャ比較規則、及び前記対応するフォーム操作を前記対応関係に格納することと
によって行われる、請求項１に記載の携帯端末上におけるフォーム操作のための方法。
【請求項３】
前記検出されたカスタマイズハンドジェスチャ、前記対応するハンドジェスチャ比較規則、及び前記対応するフォーム操作を前記対応関係に格納した後に、 
前記格納されたカスタマイズハンドジェスチャによって入力パスワードを置き換えるかどうかを問い合わせることと、
前記入力パスワードを置き換えるための入力を受信したことに応じて、パスワード設定ページを表示し、設定されたパスワードを前記対応関係に格納することと
を更に含み、
前記照合が成功である場合に、前記対応するフォーム操作をトリガすることが、前記格納されたパスワードを前記対応関係から検索し、パスワード認証操作をトリガすることを含む、請求項２に記載の携帯端末上におけるフォーム操作のための方法。
【請求項４】
前記検出されたカスタマイズハンドジェスチャ、前記対応するハンドジェスチャ比較規則、及び前記対応するフォーム操作を前記対応関係に格納する前に、
前記１つ又は複数の別のカスタマイズハンドジェスチャを入力するように前記ユーザに促すことと、
前記入力されたカスタマイズハンドジェスチャが、前記１つ又は複数の別の入力されたカスタマイズハンドジェスチャの少なくともどれかに対応するかどうかを検出することと、
１つ又は複数に対応することに応じて、前記入力されたカスタマイズハンドジェスチャ及び前記対応する入力されたカスタマイズハンドジェスチャを前記対応関係に格納することと
を更に含む、請求項２に記載の携帯端末上におけるフォーム操作のための方法。
【請求項５】
前記ハンドジェスチャ比較規則に従って、前記入力されたハンドジェスチャの前記取得された軌跡を前記対応関係における前記ハンドジェスチャと照合することが、
前記入力されたハンドジェスチャの特徴値を抽出し、前記特徴値を前記対応関係における第１のハンドジェスチャ比較規則の特徴値と比較することと、
前記入力されたハンドジェスチャの屈折数を計算し、前記計算された屈折数を前記対応関係における前記第１のハンドジェスチャ比較規則の屈折閾値と比較することと
を含む、請求項１に記載の携帯端末上におけるフォーム操作のための方法。
【請求項６】
前記対応関係が、ハンドジェスチャ、ハンドジェスチャ比較規則、及び対応するフォーム操作の少なくとも１つのセットを含み、各セットがハンドジェスチャトリガテンプレートを構成し、
前記ハンドジェスチャ比較規則に従って、前記入力されたハンドジェスチャの前記取得された軌跡を前記対応関係における前記ハンドジェスチャと照合することが、
ハンドジェスチャトリガテンプレートの優先順位に従って、前記入力されたハンドジェスチャの前記取得された軌跡を、より高い優先順位を有するハンドジェスチャトリガテンプレートのハンドジェスチャと照合することを含み、
ハンドジェスチャトリガテンプレートの前記優先順位が、前記テンプレートのハンドジェスチャの履歴的な累積操作数に従ってソートされる、請求項１に記載の携帯端末上におけるフォーム操作のための方法。
【請求項７】
携帯端末上におけるフォームを提出するための方法であって、
スクリーン上の入力されたカスタマイズハンドジェスチャを検出し、前記検出されたカスタマイズハンドジェスチャを対応関係に格納することによって、前記対応関係に予め設定されたハンドジェスチャとして追加することと、
スクリーン上の入力されたハンドジェスチャを検出し、前記入力されたハンドジェスチャの軌跡を取得することと、
前記入力されたハンドジェスチャの前記取得された軌跡が予め設定されたハンドジェスチャと一致するかどうかを決定することと、
一致することに応じて、前記フォームを提出することと
を含み、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
方法。
【請求項８】
前記対応関係に前記予め設定されたハンドジェスチャとして追加することが更に、
前記予め設定されたハンドジェスチャを追加するかどうかをユーザに確かめることと、
前記予め設定されたハンドジェスチャが追加されるべきことを示す指示に応じて、ハンドジェスチャ設定ページを表示し、前記スクリーン上の入力されたカスタマイズハンドジェスチャを検出することと、
前記検出されたカスタマイズハンドジェスチャを前記予め設定されたハンドジェスチャとして格納することと
によって行われる、請求項７に記載の携帯端末上におけるフォームを提出するための方法。
【請求項９】
前記検出されたカスタマイズハンドジェスチャを前記予め設定されたハンドジェスチャとして格納した後に、
前記格納されたハンドジェスチャによって入力パスワードを置き換えるかどうかを問い合わせることと、
前記入力パスワードを置き換えるための前記問い合わせに応じて、パスワード設定ページを表示し、設定されたパスワードを格納することと
を更に含み、
前記照合が成功である場合に、前記フォームを提出することが、前記格納されたパスワードを検索し、パスワード認証操作をトリガすることを更に含む、請求項８に記載の携帯端末上におけるフォームを提出するための方法。
【請求項１０】
フォーム操作のための携帯端末機器であって、前記機器が、
一組の命令を格納するメモリと、
１つ又は複数のプロセッサとを含み、前記１つ又は複数のプロセッサは、前記一組の命令を実行して前記機器に、
スクリーン上の入力されたカスタマイズハンドジェスチャを検出し、前記検出されたカスタマイズハンドジェスチャを対応関係に格納することによって、前記対応関係にハンドジェスチャを追加することと、
スクリーン上の入力されたハンドジェスチャを検出し、前記入力されたハンドジェスチャの軌跡を取得することと、
前記入力されたハンドジェスチャの前記取得された軌跡を前記対応関係における１つ又は複数のハンドジェスチャと照合することと、
前記入力されたハンドジェスチャの前記取得された軌跡と前記対応関係における前記１つ又は複数のハンドジェスチャとの照合が一致したことに応じて、対応するフォーム操作をトリガすることと
を行わせるように構成され、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
フォーム操作のための携帯端末機器。
【請求項１１】
前記対応関係に前記ハンドジェスチャを追加することとが更に、
前記対応関係に前記ハンドジェスチャを追加するかどうかを確かめることと、
前記ハンドジェスチャを追加するための入力を受信することに応じて、
ハンドジェスチャ設定ページを表示し、
前記スクリーン上の前記入力されたカスタマイズハンドジェスチャを検出し、
対応するハンドジェスチャ比較規則及び対応するフォーム操作を設定することと、
前記検出されたカスタマイズハンドジェスチャ、前記対応するハンドジェスチャ比較規則、及び前記対応するフォーム操作を前記対応関係に格納することと
によって行われる、請求項１０に記載のフォーム操作のための携帯端末機器。
【請求項１２】
前記１つ又は複数のプロセッサは、前記一組の命令を実行して前記機器に、
前記格納されたカスタマイズハンドジェスチャによって入力パスワードを置き換えるかどうかを問い合わせることと、
前記入力パスワードを置き換えるための入力を受信したことに応じて、パスワード設定ページを表示し、設定されたパスワードを前記対応関係に格納することと
を更に行わせるように構成され、
対応するフォーム操作をトリガすることが、前記格納されたパスワードを前記対応関係から検索し、パスワード認証操作をトリガすることを含む、請求項１１に記載のフォーム操作のための携帯端末機器。
【請求項１３】
前記１つ又は複数のプロセッサは、前記一組の命令を実行して前記機器に、
前記１つ又は複数の別のカスタマイズハンドジェスチャを入力するように前記ユーザに促すことと、
前記入力されたカスタマイズハンドジェスチャが、前記１つ又は複数の別の入力されたカスタマイズハンドジェスチャの少なくともどれかに対応するかどうかを検出することと、
１つ又は複数に対応することに応じて、前記入力されたカスタマイズハンドジェスチャ及び前記対応する入力されたカスタマイズハンドジェスチャを前記対応関係に格納することと
を更に行わせるように構成される、請求項１１に記載のフォーム操作のための携帯端末機器。
【請求項１４】
前記１つ又は複数のプロセッサは、前記一組の命令を実行して前記機器に、
前記入力されたハンドジェスチャの特徴値を抽出し、前記特徴値を前記対応関係における第１のハンドジェスチャ比較規則の特徴値と比較することと、
前記入力されたハンドジェスチャの屈折数を計算し、前記計算された屈折数を前記対応関係における前記第１のハンドジェスチャ比較規則の屈折閾値と比較することと
を更に行わせるように構成される、請求項１０に記載のフォーム操作のための携帯端末機器。
【請求項１５】
前記対応関係が、ハンドジェスチャ、ハンドジェスチャ比較規則、及び対応するフォーム操作の少なくとも１つのセットを含み、各セットがハンドジェスチャトリガテンプレートを構成し、
前記ハンドジェスチャ比較規則に従って、前記入力されたハンドジェスチャの前記取得された軌跡を前記対応関係における前記ハンドジェスチャと照合することが、
ハンドジェスチャトリガテンプレートの優先順位に従って、前記入力されたハンドジェスチャの前記取得された軌跡を、より高い優先順位を有するハンドジェスチャトリガテンプレートのハンドジェスチャと照合することを含み、
ハンドジェスチャトリガテンプレートの前記優先順位が、前記テンプレートのハンドジェスチャの履歴的な累積操作数に従ってソートされる、請求項１０に記載のフォーム操作のための携帯端末機器。
【請求項１６】
フォームを提出するための携帯端末機器であって、前記携帯端末機器が、
一組の命令を格納するメモリと、
１つ又は複数のプロセッサとを含み、前記１つ又は複数のプロセッサは、前記一組の命令を実行して前記機器に、
スクリーン上の入力されたカスタマイズハンドジェスチャを検出し、前記検出されたカスタマイズハンドジェスチャを対応関係に格納することによって、前記対応関係に予め設定されたハンドジェスチャとして追加することと、
スクリーン上の入力されたハンドジェスチャを検出し、前記入力されたハンドジェスチャの軌跡を取得することと、
前記入力されたハンドジェスチャの前記取得された軌跡が予め設定されたハンドジェスチャと一致するかどうかを決定することと、
一致することに応じて、前記フォームを提出することと
を行わせるように構成され、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
フォームを提出するための携帯端末機器。
【請求項１７】
前記対応関係に前記予め設定されたハンドジェスチャとして追加することが更に、
前記予め設定されたハンドジェスチャを追加するかどうかをユーザに確かめることと、
前記予め設定されたハンドジェスチャが追加されるべきことを示す指示に応じて、ハンドジェスチャ設定ページを表示し、前記スクリーン上の入力されたカスタマイズハンドジェスチャを検出することと、
前記検出されたカスタマイズハンドジェスチャを前記予め設定されたハンドジェスチャとして格納することと
によって更に行われる、請求項１６に記載のフォームを提出するための携帯端末機器。
【請求項１８】
前記１つ又は複数のプロセッサは、前記一組の命令を実行して前記機器に、
前記格納されたハンドジェスチャによって入力パスワードを置き換えるかどうかを問い合わせることと、
前記入力パスワードを置き換えるための前記問い合わせに応じて、パスワード設定ページを表示し、設定されたパスワードを格納することと
を更に行わせるように構成され、
前記フォームを提出することが、前記格納されたパスワードを検索し、パスワード認証操作をトリガすることを更に含む、請求項１７に記載のフォームを提出するための携帯端末機器。
【請求項１９】
一組の命令を記憶する非一時的コンピュータ可読媒体であって、前記一組の命令は、機器に携帯端末上におけるフォーム操作のための方法を実行させるように、前記機器の少なくとも１つのプロセッサによって実行可能であり、前記方法は、
スクリーン上の入力されたカスタマイズハンドジェスチャを検出し、前記検出されたカスタマイズハンドジェスチャを対応関係に格納することによって、前記対応関係にハンドジェスチャを追加することと、
スクリーン上の入力されたハンドジェスチャを検出し、前記入力されたハンドジェスチャの軌跡を取得することと、
前記入力されたハンドジェスチャの前記取得された軌跡を前記対応関係における１つ又は複数のハンドジェスチャと照合することと、
照合が一致したことに応じて、対応するフォーム操作をトリガすることと
を含み、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
非一時的コンピュータ可読媒体。
【請求項２０】
前記対応関係に前記ハンドジェスチャを追加することとが更に、
前記対応関係に前記ハンドジェスチャを追加するかどうかを確かめることと、
前記ハンドジェスチャを追加するための入力を受信することに応じて、
ハンドジェスチャ設定ページを表示し、
前記スクリーン上の前記入力されたカスタマイズハンドジェスチャを検出し、
対応するハンドジェスチャ比較規則及び対応するフォーム操作を設定することと、
前記検出されたカスタマイズハンドジェスチャ、前記対応するハンドジェスチャ比較規則、及び前記対応するフォーム操作を前記対応関係に格納することと
によって行われる、請求項１９に記載の非一時的コンピュータ可読媒体。
【請求項２１】
前記検出されたカスタマイズハンドジェスチャ、前記対応するハンドジェスチャ比較規則、及び前記対応するフォーム操作を前記対応関係に格納した後に、前記方法が更に、
前記格納されたカスタマイズハンドジェスチャによって入力パスワードを置き換えるかどうかを問い合わせることと、
前記問い合わせに応じて、パスワード設定ページを表示し、設定されたパスワードを前記対応関係に格納することと
を更に含み、
前記照合が成功である場合に、前記対応するフォーム操作をトリガすることが、前記格納されたパスワードを前記対応関係から検索し、パスワード認証操作をトリガすることを含む、請求項２０に記載の非一時的コンピュータ可読媒体。
【請求項２２】
一組の命令を記憶する非一時的コンピュータ可読媒体であって、前記一組の命令は、機器に携帯端末上におけるフォーム操作のための方法を実行させるように、前記機器の少なくとも１つのプロセッサによって実行可能であり、前記方法は、
スクリーン上の入力されたカスタマイズハンドジェスチャを検出し、前記検出されたカスタマイズハンドジェスチャを対応関係に格納することによって、前記対応関係に予め設定されたハンドジェスチャとして追加することと、
スクリーン上の入力されたハンドジェスチャを検出し、前記入力されたハンドジェスチャの軌跡を取得することと、
前記入力されたハンドジェスチャの前記取得された軌跡が予め設定されたハンドジェスチャと一致するかどうかを決定することと、
一致することに応じて、前記フォームを提出することと
を含み、
前記スクリーン上の前記入力されたカスタマイズハンドジェスチャを検出することが、
前記検出されたカスタマイズハンドジェスチャの複雑さが基準を満たすかどうかを判定することと、
前記検出されたカスタマイズハンドジェスチャの前記複雑さが前記基準を満たさないことに応じて、別の入力されたカスタマイズハンドジェスチャを検出することと
を更に含み、
前記カスタマイズハンドジェスチャの前記複雑さの前記基準が、ハンドジェスチャ軌跡の屈折数が予め設定された屈折閾値内であるかどうかを含む、
非一時的コンピュータ可読媒体。
【発明の詳細な説明】
【技術分野】
【０００１】
技術分野
本出願は、携帯端末に関し、特に携帯端末上におけるフォーム操作方法及び機器に関する。
【背景技術】
【０００２】
背景
通信技術の急速な発展と共に、ほとんどの携帯電話は、入力装置としてタッチスクリーンを用いる。現在、業界において携帯端末上でのフォーム操作の問題を解決するための方法は、主として次の２つの態様に集中し得る。
【０００３】
第１に、フォームが書き込まれた後、フォームは、ＯＫボタンを介して提出される。ＯＫボタンは、フォームのかなり底部に位置している可能性がある。ユーザは、フォームの底部までスクリーンを手動でスライドする必要があり得る。
【０００４】
第２に、提出ボタンが、スクリーン底部の近くに常にホバーしている場合がある。ユーザは、ホバーしているボタンを直接クリックすることによって注文を提出し得る。ボタンは見つけるのに便利であるが、携帯端末のスクリーンのサイズはやはり制限される可能性がある。その上、ホバーしている提出ボタンは、フォームの内容の一部をブロックする可能性がある。その結果、ユーザは、依然としてフォームをスクロールダウンする必要があり得る。
【０００５】
既存の解決法は、フォームを提出する唯一の手段として、ボタンのクリッキングを利用する場合がある。底部までスクロールダウンすることにより、又はタイトルバーの右上隅に提出ボタンを見つける必要がある。しかしながら、携帯端末における操作は、スクリーンのサイズ及び手のひらの大きさの制限のために、できるだけ単純でかつ高度にフォールトトレラントでなければならない。従って、既存の解決法はユーザ体験を悪化させる可能性がある。
【発明の概要】
【課題を解決するための手段】
【０００６】
概要
本出願は、携帯端末上におけるフォーム操作のための方法及び機器を提供するように意図されている。フォームの長さが携帯端末のスクリーン表示範囲を超過する場合、ユーザは、スクリーン上の任意の位置においてハンドジェスチャを通じて特定の操作を行い得る。
【０００７】
一態様において、上記の技術的問題を解決するために、本開示は、携帯端末上におけるフォーム操作のための方法に関わる。ハンドジェスチャと、ハンドジェスチャ比較規則と、フォーム操作との間の対応関係が予め設定されてもよい。方法は、スクリーン上の入力されたハンドジェスチャを検出し、入力されたハンドジェスチャの軌跡を取得することを含んでもよい。方法はまた、ハンドジェスチャ比較規則に従って、入力されたハンドジェスチャの取得された軌跡を、対応関係におけるハンドジェスチャと照合することを含んでもよい。方法は、照合が成功である場合に、対応するフォーム操作をトリガすることを更に含んでもよい。
【０００８】
別の態様において、本開示は、携帯端末上におけるフォーム操作のための機器に関わる。ハンドジェスチャと、ハンドジェスチャ比較規則と、フォーム操作との間の対応関係が予め設定されてもよい。機器は、スクリーン上の入力されたハンドジェスチャを検出し、入力されたハンドジェスチャの軌跡を取得するように構成された検出モジュールを含んでもよい。機器はまた、ハンドジェスチャ比較規則に従って、入力されたハンドジェスチャの取得された軌跡を、対応関係におけるハンドジェスチャと照合するように構成された照合モジュールを含んでもよい。機器は、入力されたハンドジェスチャの取得された軌跡が、対応関係におけるハンドジェスチャと成功裡に一致する場合に、対応するフォーム操作をトリガするように構成されたフォーム操作トリガモジュールを更に含んでもよい。
【０００９】
更なる態様において、本開示は、携帯端末上におけるフォームを提出するための方法に関わる。方法は、スクリーン上の入力されたハンドジェスチャを検出し、入力されたハンドジェスチャの軌跡を取得することを含んでもよい。方法はまた、入力されたハンドジェスチャの取得された軌跡を、予め設定されたハンドジェスチャと照合することを含んでもよい。方法は、照合が成功である場合に、フォームを提出することを更に含んでもよい。
【００１０】
更に別の態様において、本開示は、携帯端末上におけるフォームを提出するための機器に関わる。機器は、スクリーン上の入力されたハンドジェスチャを検出し、入力されたハンドジェスチャの軌跡を取得するように構成された検出モジュールを含んでもよい。機器はまた、入力されたハンドジェスチャの取得された軌跡を、予め設定されたハンドジェスチャと照合するように構成された照合モジュールを含んでもよい。機器は、照合が成功である場合に、フォームを提出するように構成されたフォーム提出モジュールを更に含んでもよい。
【００１１】
本出願の実施形態は、次の結果を有し、且つ既存の技術から次の区別を引き出し得る。フォームの長さが携帯端末のスクリーン表示範囲を超過する可能性がある場合、操作ボタンを見つけるために底部までスクロールダウンする必要をなくすことができる。その上、ホバーしている操作ボタンへのクリア操作を行う必要をなくすことができる。ユーザは、スクリーン上の任意の位置においてハンドジェスチャを通じて特定の操作を行うことができる。その結果、ハンドジェスチャを通じてフォームを操作する間、個別の操作ボタンは必要とされなくてもよい。サイズを制限されたスクリーンがフォーム内容を表示するために完全に使用され得る。
【００１２】
一態様において、ユーザによって入力されたカスタマイズハンドジェスチャの複雑さが基準を満たさない場合、本出願の実施形態は、再入力するようにユーザに促すことを含んでもよく、それは過度に単純なハンドジェスチャに起因する偶発的な操作を防ぎ得る。
【００１３】
別の態様において、パスワードを書き込んだ後でフォームが操作可能になる場合、本出願の実施形態は、予め設定されたハンドジェスチャパスワードを用いることによってパスワード認証を実行し、それに応じてフォームを操作することを含んでもよい。オリジナルの２ステップ操作は１つに組み合わされてもよい。
【００１４】
更なる態様において、本出願の実施形態は、ユーザによって設定されたハンドジェスチャが、設定されたハンドジェスチャの低い一致率を回避するために再現可能であることを保証し得る。
【００１５】
別の更なる態様において、高い優先順位を有するハンドジェスチャトリガテンプレートのハンドジェスチャは、取得されたハンドジェスチャと最初に照合され、このようにして照合速度を加速してもよい。
【図面の簡単な説明】
【００１６】
【図１】本出願の実施形態による、携帯端末上におけるフォーム操作のための例示的な方法の概略フローチャートである。
【図２】本出願の実施形態による、携帯端末上におけるTaobaoショッピングカートの例示的なフォームである。
【図３】本出願の実施形態による、規則違反の問い合わせ補助アプリケーションに車両情報を追加するための例示的なフォームである。
【図４】本出願の実施形態による、携帯端末上におけるフォーム操作のための例示的な方法の概略フローチャートである。
【図５】本出願の実施形態による、携帯端末上におけるフォームを提出するための例示的な方法の概略フローチャートである。
【図６】本出願の実施形態による、携帯端末上におけるフォーム操作のための例示的な方法における主なページのスナップ写真である。
【図７】本出願の実施形態による、携帯端末上におけるフォーム操作のための例示的な方法における主なページのスナップ写真である。
【図８】本出願の実施形態による、携帯端末上におけるフォーム操作のための例示的な方法における主なページのスナップ写真である。
【図９】本出願の実施形態による、携帯端末上におけるフォーム操作のための例示的な機器の概略構造図である。
【図１０】本出願の実施形態による、携帯端末上におけるフォームを提出するための例示的な機器の概略構造図である。
【発明を実施するための形態】
【００１７】
詳細な説明
以下の説明において、読者が本出願をよりよく理解するために、多くの技術的詳細が提供される。しかしながら、当業者は、本出願の特許請求の範囲において特許請求される技術的解決法が、以下の実施形態に基づくこれらの技術的詳細並びに様々な変更及び修正なしでも依然として実行可能であることを理解するであろう。
【００１８】
本発明の実施形態は、本出願の目的、技術的解決法、及び利点を明確にするために、添付の図面を関連して以下で詳細に説明される。
【００１９】
本出願の第１の実施形態は、携帯端末上におけるフォーム操作のための方法に関する。図１は、本出願の実施形態による、携帯端末上におけるフォーム操作のための例示的な方法の概略フローチャートである。
【００２０】
幾つかの実施形態において、携帯端末上におけるフォーム操作のための方法は、ハンドジェスチャと、ハンドジェスチャ比較規則と、フォーム操作との間の、それに予め設定された対応関係を含んでもよい。図１に示されているように、方法は、以下のステップを含んでもよい。
【００２１】
ステップ１０１：スクリーン上の入力されたハンドジェスチャを検出し、入力されたハンドジェスチャの軌跡を取得する。
【００２２】
ステップ１０２：ハンドジェスチャ比較規則に従って、入力されたハンドジェスチャの取得された軌跡を、対応関係におけるハンドジェスチャと照合する。
【００２３】
ステップ１０３：照合が成功である場合に、対応するフォーム操作をトリガする。
【００２４】
幾つかの実施形態において、フォームは、携帯端末におけるTaobaoショッピングカートのフォームであってもよい。幾つかの実施形態において、フォームは、規則違反の問い合わせ補助アプリケーションに車両情報を追加するためのフォームであってもよい。図２は、本出願の実施形態による、携帯端末におけるTaobaoショッピングカートの例示的なフォームである。図３は、本出願の実施形態による、規則違反の問い合わせ補助アプリケーションに車両情報を追加するための例示的なフォームである。車種、問い合わせ都市、ナンバープレート番号、エンジン番号、車両識別番号及び注記を含むフォームは、提出ボタンがキーボードによってブロックされ得るほど長くてもよい。フォームがハンドジェスチャ操作を用いることによって提出され得る場合、「精算」又は「提出」ボタンを見つけるためにフォームの底部までスライドする必要はない。
【００２５】
幾つかの実施形態において、フォーム操作は、フォームを提出すること、フォームにおける記入を削除すること、又は別の関連する操作を含んでもよい。フォーム操作のプロセスはここで終了し得る。
【００２６】
従って、フォームの長さが携帯端末のスクリーン表示範囲を超過する可能性がある場合、操作ボタンを見つけるために底部までスクロールダウンする必要がなくてもよい。その上、ホバーしている操作ボタンへのクリア操作を行う必要がなくてもよい。ユーザは、スクリーン上の任意の位置においてハンドジェスチャを通じて特定の操作を行ってもよい。その結果、ハンドジェスチャを通じてフォームを操作する間、個別の操作ボタンは必要とされなくてもよい。サイズを制限されたスクリーンがフォーム内容を表示するために完全に使用され得る。
【００２７】
本出願の第２の実施形態は、携帯端末上におけるフォーム操作のための別の方法に関する。方法は、ユーザによって入力されたカスタマイズハンドジェスチャの複雑さが基準を満たさない場合、再入力を促すことを含んでもよい。それは、過度に単純なハンドジェスチャに起因する偶発的な操作を回避し得る。ハンドジェスチャが追加される場合、方法は、ハンドジェスチャを複数回入力するようにユーザに促すことを含んでもよい。ハンドジェスチャの複数回の入力が互いに一致し得る場合、方法は、ハンドジェスチャを対応関係に格納することを含んでもよい。それは、ユーザによって設定されたハンドジェスチャが再現可能であることを保証し、ハンドジェスチャの低い一致率を回避し得る。
【００２８】
幾つかの実施形態において、ステップ１０１の前に、方法は、ハンドジェスチャを対応関係に追加する必要があるかどうかをユーザに確かめることを更に含んでもよい。ユーザが追加することを選択する場合に、方法はまた、ハンドジェスチャ設定ページを表示し、スクリーン上の入力されたカスタマイズハンドジェスチャを検出し、対応するカスタマイズハンドジェスチャ比較規則及び対応するカスタマイズフォーム操作を設定することを含んでもよい。方法は、検出されたカスタマイズハンドジェスチャ、カスタマイズハンドジェスチャ比較規則、及びカスタマイズフォーム操作を対応関係に格納することを更に含んでもよい。
【００２９】
幾つかの実施形態において、ユーザがハンドジェスチャを追加しないことを選択する場合に、デフォルトのハンドジェスチャが用いられてもよい。
【００３０】
幾つかの実施形態において、カスタマイズハンドジェスチャのみが携帯端末に格納されてもよい。ユーザが別の携帯端末を取得する場合、カスタマイズハンドジェスチャは再び追加される必要がある。従って、それは高レベルのセキュリティをもたらし得る。
【００３１】
幾つかの実施形態において、方法において更にスクリーン上の入力されたカスタマイズハンドジェスチャを検出することは、検出されたカスタマイズハンドジェスチャの複雑さが基準を満たすかどうかを判定することを含んでもよい。検出されたカスタマイズハンドジェスチャの複雑さが基準を満たさない場合、方法は、別の入力されたカスタマイズハンドジェスチャを検出することを含んでもよい。カスタマイズハンドジェスチャの複雑さの基準は、ハンドジェスチャ軌跡の屈折数が予め設定された屈折閾値内であるかどうかを含んでもよい。
【００３２】
方法は、カスタマイズハンドジェスチャの複雑さが基準を満たすかどうかを判定することにより、過度に単純なハンドジェスチャに起因する偶発的な操作を回避し得る。
【００３３】
幾つかの実施形態において、方法は、複雑さが、屈折数に限定されず、別の特徴に従って設定され得る基準を満たすかどうかを判定することを含んでもよい。
【００３４】
幾つかの実施形態において、検出されたカスタマイズハンドジェスチャ、カスタマイズハンドジェスチャ比較規則、及びカスタマイズフォーム操作を対応関係に格納する前に、方法は、カスタマイズハンドジェスチャを複数回入力するようにユーザに促すことを更に含んでもよい。方法はまた、複数回の入力されたカスタマイズハンドジェスチャが互いに一致するかどうかを検出することを含んでもよい。一致する場合に、方法は、検出されたカスタマイズハンドジェスチャを対応関係に格納することを含んでもよい。
【００３５】
入力された複数回のカスタマイズハンドジェスチャが互いに一致する場合にのみ、方法は、カスタマイズハンドジェスチャを対応関係に格納することを含んでもよい。それは、ユーザによって設定されたハンドジェスチャが再現可能であることを保証し、ハンドジェスチャの低い一致率を回避し得る。
【００３６】
幾つかの実施形態において、パターン認識技術により、方法ステップ１０２は、ハンドジェスチャを通じてユーザによってスクリーン上に描かれた不規則パターンを、携帯端末にローカルに格納されたパターンと比較することを含んでもよい。比較が成功である場合、それは、方法が現在のフォームをワンタイム用に提出する操作の実行を含むことを示し得る。
【００３７】
図４は、本出願の実施形態による、携帯端末上におけるフォーム操作のための例示的な方法の概略フローチャートである。方法は、以下のステップを含んでもよい。
【００３８】
ステップ４０１において、ユーザが初めてフォームに入力し得る場合、方法は、ハンドジェスチャを追加するようにユーザに促すことを含んでもよい。ユーザが追加することを選択する場合に、方法はまた、ハンドジェスチャ設定ページを表示することを含んでもよく、ステップ４０２に入ってもよい。ユーザが設定しないことを選択する場合に、方法は、デフォルトパターン、例えば「√」を採用することを含んでもよく、引き続きフォームに書き込むためにステップ４０６に入ってもよい。
【００３９】
ステップ４０２において、方法は、ユーザの身元を確認するために、アカウントのパスワードを入力するようにユーザに促すことを含んでもよい。
【００４０】
ステップ４０３において、方法は、カスタマイズハンドジェスチャを追加することを含んでもよい。方法はまた、追加されたカスタマイズハンドジェスチャが、特定の認識困難さに応じて、不規則パターンの要求される複雑さを満たすことを保証することを含んでもよい。
【００４１】
ステップ４０４において、方法は、カスタマイズハンドジェスチャを保証することを含んでもよい。方法は、確認のために複数回のカスタマイズハンドジェスチャを入力するようにユーザに促すことを含んでもよい。
【００４２】
ステップ４０５において、カスタマイズハンドジェスチャは、成功裡に追加されていることがあり得る。セキュリティの観点から、方法は、カスタマイズハンドジェスチャを携帯端末にローカルに格納することを含んでもよい。ユーザが別の携帯端末を有している可能性がある場合、ユーザは、カスタマイズハンドジェスチャを再び追加する必要があり得る。
【００４３】
ステップ４０６において、方法は、引き続きフォームに書き込むことを含んでもよい。
【００４４】
ステップ４０７において、方法は、カスタマイズハンドジェスチャによってフォーム操作を実行することを含んでもよい。ユーザがスクリーン上の任意の位置において、以前に設定されたカスタマイズハンドジェスチャを描く場合、方法は、フォームを提出することを含んでもよい。
【００４５】
幾つかの実施形態において、カスタマイズハンドジェスチャが追加され得る場合、方法は、過度に単純なハンドジェスチャに起因する後続の偶発的な操作を回避するために、追加されたカスタマイズハンドジェスチャが指定された複雑さを満たすことを保証することを含んでもよい。幾つかの実施形態において、方法は、カスタマイズハンドジェスチャが再現可能であることを保証するために、複数回のカスタマイズハンドジェスチャを入力するようにユーザに促すことを含んでもよい。幾つかの実施形態において、方法は、成功裏に追加されたカスタマイズハンドジェスチャを携帯端末にローカルに格納することを含んでもよい。それは、高レベルのセキュリティをもたらし得る。
【００４６】
本出願の第３の実施形態は、携帯端末上におけるフォーム操作のための方法に関する。パスワードを書き込んだ後でフォームが操作可能になる場合、方法は、予め設定されたハンドジェスチャパスワードを用いることによってパスワード認証を実行し、それに応じてフォームを操作することを含んでもよい。オリジナルの２ステップ操作は１つに組み合わされてもよい。幾つかの実施形態において、高い優先順位を有するハンドジェスチャトリガテンプレートのハンドジェスチャが、取得されたハンドジェスチャと最初に照合されてもよく、このようにして照合速度を加速する。
【００４７】
検出されたカスタマイズハンドジェスチャ、カスタマイズハンドジェスチャ比較規則、及びカスタマイズフォーム操作を対応関係に格納した後に、方法は、格納されたカスタマイズハンドジェスチャによって入力パスワードを置き換える必要があるかどうかをユーザに問い合わせることを更に含んでもよい。必要がある場合に、方法は、パスワード設定ページを表示し、設定されたパスワードを対応関係に格納することを含んでもよい。方法において、照合が成功である場合に、対応するフォーム操作をトリガするステップは、格納されたパスワードを対応関係から検索し、パスワード認証操作をトリガすることを更に含んでもよい。
【００４８】
従って、方法は、予め設定されたハンドジェスチャパスワードを用いることによってパスワード認証を実行し、それに応じてフォームを操作することを含んでもよい。オリジナルの２ステップ操作は１つに組み合わされてもよい。
【００４９】
幾つかの実施形態において、方法は、上記のようにパスワードを設定することを含まなくてもよい。
【００５０】
幾つかの実施形態において、方法ステップ１０２は、入力されたハンドジェスチャの特徴値を抽出し、その特徴値を対応関係におけるハンドジェスチャ比較規則の特徴値と比較することを含んでもよい。方法ステップ１０２はまた、入力されたハンドジェスチャの屈折数を計算し、屈折データを対応関係におけるハンドジェスチャ比較規則の屈折閾値と比較することを含んでもよい。
【００５１】
幾つかの実施形態において、方法は、特定の方式に従って連続して照合することを含んでもよい。幾つかの実施形態において、方法における対応関係は、ハンドジェスチャ、ハンドジェスチャ比較規則、及び対応するフォーム操作の少なくとも１つのセットを含んでもよい。各セットはハンドジェスチャトリガテンプレートを構成してもよい。方法ステップ１０２において、入力されたハンドジェスチャの取得された軌跡を、対応関係におけるハンドジェスチャと照合することは、ハンドジェスチャトリガテンプレートの優先順位に従って連続して照合することを含んでもよい。換言すれば、方法ステップ１０２は、入力されたハンドジェスチャの取得された軌跡を、高い優先順位を有するハンドジェスチャトリガテンプレートのハンドジェスチャと照合することを含んでもよい。ハンドジェスチャトリガテンプレートの優先順位は、前記テンプレートのハンドジェスチャの履歴的な累積操作数に従ってソートされてもよい。
【００５２】
幾つかの実施形態において、方法は、他の方式に従ってハンドジェスチャトリガテンプレートの照合シーケンスを分類することを含んでもよい。
【００５３】
本出願の第４の実施形態は、携帯端末上におけるフォームを提出するための方法に関する。図５は、本出願の実施形態に従って、携帯端末上におけるフォームを提出するための例示的な方法の概略フローチャートである。
【００５４】
図５に示されているように、方法は、以下のステップを含んでもよい。
【００５５】
ステップ５０１：スクリーン上の入力されたハンドジェスチャを検出し、入力されたハンドジェスチャの軌跡を取得する。
【００５６】
ステップ５０２：入力されたハンドジェスチャの取得された軌跡を予め設定されたハンドジェスチャと照合する。
【００５７】
ステップ５０３：照合が成功である場合に、フォームを提出する。
【００５８】
幾つかの実施形態において、ステップ５０１の前に、方法は、予め設定されたハンドジェスチャを追加する必要があるかどうかをユーザに確かめることを更に含んでもよい。ユーザが追加することを選択する場合に、方法は、ハンドジェスチャ設定ページを表示し、スクリーン上の入力されたカスタマイズハンドジェスチャを検出することを含んでもよい。方法はまた、検出されたカスタマイズハンドジェスチャを予め設定されたハンドジェスチャとして格納することを含んでもよい。
【００５９】
幾つかの実施形態において、検出されたカスタマイズハンドジェスチャを予め設定されたハンドジェスチャとして格納した後に、方法は、格納されたカスタマイズハンドジェスチャによって入力パスワードを置き換える必要があるかどうかをユーザに問い合わせることを更に含んでもよい。必要がある場合に、方法はまた、パスワード設定ページを表示し、設定されたパスワードを格納することを含んでもよい。方法において、照合が成功である場合に、フォームを提出するステップは、格納されたパスワードを検索し、パスワード認証操作をトリガすることを更に含んでもよい。
【００６０】
図６〜８は、本出願の実施形態による、携帯端末上におけるフォーム操作のための例示的な方法における主なページのスナップ写真である。図６に示されているように、ユーザが初めて入力し得る場合、方法は、フォームがハンドジェスチャを通じて提出され得ることをユーザに示すことを含んでもよい。方法はまた、カスタマイズハンドジェスチャがフォームを提出するために用いられ得ることをユーザに示すことを含んでもよい。図７に示されているように、カスタマイズハンドジェスチャが成功裡に設定された後、方法は、このタイミングで入力パスワードを置き換える必要があるかどうかをユーザに問い合わせることを含んでもよい。図８に示されているように、ユーザは、スクリーン上の任意の位置において、以前に設定されたハンドジェスチャを用いることによってフォームを提出してもよい。
【００６１】
本出願の実施形態は、次の技術的な結果を提供し得る。
【００６２】
１．最初にハンドジェスチャを追加することのみが必要であるか、又はデフォルトハンドジェスチャを用いることにより、いかなるハンドジェスチャを追加することも不必要でさえある。後続のフォーム提出に関し、ユーザは、フォームを提出するために、スクリーン上の任意の位置において、追加されたハンドジェスチャを用いる必要があるだけとすることができる。
【００６３】
２．フォームの長さがスクリーン表示範囲を超過する可能性がある場合、提出ボタンを見つけるために底部までスクロールダウンする必要はない。ユーザは、スクリーン上の任意の位置において特定のハンドジェスチャを通じてフォームを提出し得る。
【００６４】
３．パスワードを書き込んだ後でのみフォームが提出され得る場合、ユーザは、予め設定されたハンドジェスチャパスワードを通じてパスワード認証を通過し、同時にフォームを提出してもよい。オリジナルの２ステップ操作は１つに組み合わされる。
【００６５】
本出願の全ての方法実施形態は、ソフトウェア、ハードウェア、ファームウェア等によって実行されてもよい。たとえこれらの方法実施形態がソフトウェア、ハードウェア、又はファームウェアによって実行されても、それらの命令コードは、永久又は変更可能、揮発性又は不揮発性、固体又は非固体、及び固定又は交換可能媒体などの任意のタイプのコンピュータアクセス可能なメモリに格納されてもよい。幾つかの実施形態において、それらの命令コードは、iOS用のObjective C及びAndriod用のJava（登録商標）を使用することによって最良の結果を達成し得る。
【００６６】
メモリは、例えば、プログラム可能アレイ論理（ＰＡＬ）、ランダムアクセスメモリ（ＲＡＭ）、プログラム可能リードオンリーメモリ（ＰＲＯＭ）、リードオンリーメモリ（ＲＯＭ）、電気的消去可能プログラム可能ＲＯＭ（ＥＥＰＲＯＭ）、磁気ディスク、光ディスク、デジタル多用途ディスク（ＤＶＤ）などを含んでもよい。
【００６７】
本出願の第５の実施形態は、携帯端末上におけるフォーム操作のための機器に関する。図９は、本出願の実施形態による、携帯端末上におけるフォーム操作のための例示的な機器の概略構造図である。
【００６８】
携帯端末上におけるフォーム操作のための機器は、ハンドジェスチャと、ハンドジェスチャ比較規則と、フォーム操作との間の予め設定された対応関係を含んでもよい。図９に示されているように、機器は、次のモジュールを含んでもよい。
【００６９】
スクリーン上の入力されたハンドジェスチャを検出し、入力されたハンドジェスチャの軌跡を取得するように構成された検出モジュール。
【００７０】
ハンドジェスチャ比較規則に従って、入力されたハンドジェスチャの取得された軌跡を、対応関係におけるハンドジェスチャと照合するように構成された照合モジュール。
【００７１】
入力されたハンドジェスチャの取得された軌跡が対応関係におけるハンドジェスチャと成功裡に一致する場合に、対応するフォーム操作をトリガするように構成されたフォーム操作トリガモジュール。
【００７２】
上記の第１の実施形態は、この実施形態に対応し得る。この実施形態は、第１の実施形態のステップに従って対応して実行されてもよく、逆も同様である。第１の実施形態において開示された関連する技術的詳細は、この実施形態に適用可能である。従って、それらの技術的詳細は、繰り返しを避けるために、ここでは省略することができる。同様に、この実施形態において開示された関連する技術的詳細は、第１の実施形態に適用可能である。
【００７３】
本出願の第６の実施形態は、携帯端末上におけるフォーム操作のための機器に関する。機器は、ユーザによって入力されたカスタマイズハンドジェスチャの複雑さが基準を満たさない場合、ユーザに再入力するように促すように構成されてもよい。それは、過度に単純なハンドジェスチャに起因する偶発的な操作を回避し得る。カスタマイズハンドジェスチャが追加される場合、機器は、カスタマイズハンドジェスチャを複数回入力するようにユーザに促すように構成されてもよい。複数回の入力されたカスタマイズハンドジェスチャが互いに一致し得る場合に、機器は、カスタマイズハンドジェスチャを対応関係に格納するように構成されてもよい。それは、ユーザによって設定されたカスタマイズハンドジェスチャが再現可能であることを保証し、ハンドジェスチャの低い一致率を回避し得る。
【００７４】
幾つかの実施形態において、携帯端末上におけるフォーム操作のための機器は、ハンドジェスチャを対応関係に追加する必要があるかどうかをユーザに確かめるように構成されたハンドジェスチャ追加モジュールを更に含んでもよい。
【００７５】
ユーザが追加することを選択する場合に、ハンドジェスチャ追加モジュールは、ハンドジェスチャ設定ページを表示するように構成されてもよい。検出モジュールは、スクリーン上の入力されたカスタマイズハンドジェスチャを検出するように構成されてもよい。ハンドジェスチャ追加モジュールは、対応するカスタマイズハンドジェスチャ比較規則及び対応するカスタマイズフォーム操作を設定するように更に構成されてもよい。ハンドジェスチャ追加モジュールはまた、検出されたカスタマイズハンドジェスチャ、カスタマイズハンドジェスチャ比較規則、及びカスタマイズフォーム操作を対応関係に格納するように構成されてもよい。ユーザがカスタマイズハンドジェスチャを追加しないことを選択する場合に、機器は、デフォルトハンドジェスチャを用いるように構成されてもよい。
【００７６】
幾つかの実施形態において、機器は、予め設定されたハンドジェスチャを携帯端末にローカルに格納してもよい。ユーザが別の携帯端末を取得し得る場合、ユーザは、ハンドジェスチャを再び追加する必要があり得る。それは、高レベルのセキュリティをもたらし得る。ユーザがカスタマイズハンドジェスチャを追加しないことを選択する場合に、機器は、デフォルトハンドジェスチャを用いるように構成されてもよい。
【００７７】
幾つかの実施形態において、ハンドジェスチャ追加モジュールは、検出されたカスタマイズハンドジェスチャの複雑さが基準を満たすかどうかを判定するように構成された複雑さ判定サブモジュールを更に含んでもよい。検出されたカスタマイズハンドジェスチャの複雑さが基準を満たさない場合、検出モジュールは、別の入力されたカスタマイズハンドジェスチャを検出するように更に構成されてもよい。カスタマイズハンドジェスチャの複雑さの基準は、ハンドジェスチャ軌跡の屈折数が予め設定された屈折閾値内であるかどうかを含んでもよい。
【００７８】
幾つかの実施形態において、複雑さ判定サブモジュールは、複雑さが、屈折数に限定されず、別の特徴に従って、設定され得る基準を満たすかどうかを判定するように構成されてもよい。
【００７９】
幾つかの実施形態において、ハンドジェスチャ追加モジュールは、設定されたカスタマイズハンドジェスチャを複数回入力するようにユーザに促すように構成されてもよい。照合モジュールは、複数回の入力されたカスタマイズハンドジェスチャが互いに一致するかどうかを検出するように構成されてもよい。一致する場合に、ハンドジェスチャ追加モジュールは、検出されたカスタムジェスチャを対応関係に格納するように構成されてもよい。
【００８０】
上記の第２の実施形態は、この実施形態に対応し得る。この実施形態は、第２の実施形態のステップに従って対応して実行されてもよく、逆も同様である。第２の実施形態において開示された関連する技術的詳細は、この実施形態に適用可能である。従って、それらの技術的詳細は、繰り返しを避けるために、ここでは省略することができる。同様に、この実施形態において開示された関連する技術的詳細は、第２の実施形態に適用可能である。
【００８１】
本発明の第７の実施形態は、携帯端末上におけるフォーム操作のための機器に関する。第７の実施形態は、第６の実施形態に基づく特定の改良を含み得る。主な改良は、次の特徴を含み得る。フォームがパスワードを書き込んだ後で操作可能になる場合、方法は、予め設定されたハンドジェスチャパスワードを用いることによってパスワード認証を実行し、それに応じてフォームを操作することを含んでもよい。オリジナルの２ステップ操作は１つに組み合わされてもよい。幾つかの実施形態において、高い優先順位を有するハンドジェスチャトリガテンプレートのハンドジェスチャは、取得されたハンドジェスチャと最初に照合され、このようにして照合速度を加速してもよい。
【００８２】
幾つかの実施形態において、携帯端末上におけるフォーム操作のための機器は、格納されたカスタマイズハンドジェスチャによって入力パスワードを置き換える必要があるかどうかをユーザに問い合わせるように構成されたパスワード追加モジュールを更に含んでもよい。必要がある場合に、パスワード追加モジュールは、パスワード設定ページを表示し、設定されたパスワードを対応関係に格納するように構成されてもよい。フォーム操作トリガモジュールは、格納されたパスワードを対応関係から検索し、パスワード認証操作をトリガするように構成されたパスワード認証サブモジュールを更に含んでもよい。
【００８３】
幾つかの実施形態において、本出願の機器は、パスワードを設定するように構成されなくてもよい。
【００８４】
幾つかの実施形態において、照合モジュールは、次のものを含んでもよい。
【００８５】
入力されたハンドジェスチャの特徴値を抽出し、その特徴値を対応関係におけるハンドジェスチャ比較規則の特徴値と比較するように構成された特徴照合サブモジュール。
【００８６】
入力されたハンドジェスチャの屈折数を計算し、屈折データを対応関係におけるハンドジェスチャ比較規則の屈折閾値と比較するように構成された屈折照合サブモジュール。
【００８７】
幾つかの実施形態において、対応関係は、ハンドジェスチャ、ハンドジェスチャ比較規則、及び対応するフォーム操作の少なくとも１つのセットを含んでもよい。各セットはハンドジェスチャトリガテンプレートを構成してもよい。照合モジュールは、照合のためのハンドジェスチャトリガテンプレートの優先順位に従って、入力されたハンドジェスチャの取得された軌跡を、高い優先順位を有するハンドジェスチャトリガテンプレートのハンドジェスチャと照合するように構成されてもよい。ハンドジェスチャトリガテンプレートの優先順位は、前記テンプレートのハンドジェスチャの履歴的な累積操作数に従ってソートされてもよい。
【００８８】
幾つかの実施形態において、機器は、他の方式に従ってハンドジェスチャトリガテンプレートの照合シーケンスを分類するように構成されてもよい。
【００８９】
上記の第３の実施形態は、この実施形態に対応し得る。この実施形態は、第３の実施形態のステップに従って対応して実行されてもよく、逆も同様である。第３の実施形態において開示された関連する技術的詳細は、この実施形態に適用可能である。従って、それらの技術的詳細は、繰り返しを避けるために、ここでは省略することができる。同様に、この実施形態において開示された関連する技術的詳細は、第３の実施形態に適用可能である。
【００９０】
本発明の第８の実施形態は、携帯端末上におけるフォームを提出するための機器に関する。図１０は、本出願の実施形態による、携帯端末上におけるフォームを提出するための例示的な機器の概略構造図である。
【００９１】
図１０に示されているように、機器は、次のものを含んでもよい。
【００９２】
スクリーン上の入力されたハンドジェスチャを検出し、入力されたハンドジェスチャの軌跡を取得するように構成された検出モジュール。
【００９３】
入力されたハンドジェスチャの取得された軌跡を予め設定されたハンドジェスチャと照合するように構成された照合モジュール。
【００９４】
照合が成功である場合に、フォームを提出するように構成されたフォーム提出モジュール。
【００９５】
幾つかの実施形態において、携帯端末上におけるフォームを提出するための機器は、予め設定されたハンドジェスチャを追加する必要があるかどうかをユーザに確かめるように構成されたハンドジェスチャ追加モジュールを更に含んでもよい。ユーザが追加することを選択する場合に、ハンドジェスチャ追加モジュールは、ハンドジェスチャ設定ページを表示するように構成されてもよい。検出モジュールは、スクリーン上の入力されたカスタマイズハンドジェスチャを検出するように構成されてもよい。ハンドジェスチャ追加モジュールはまた、検出されたカスタマイズハンドジェスチャを予め設定されたハンドジェスチャとして格納するように構成されてもよい。
【００９６】
幾つかの実施形態において、携帯端末上におけるフォームを提出するための機器は、格納されたカスタマイズハンドジェスチャによって入力パスワードを置き換える必要があるかどうかをユーザに問い合わせるように構成されたパスワード設定モジュールを更に含んでもよい。必要がある場合に、パスワード設定モジュールはまた、パスワード設定ページを表示し、設定されたパスワードを格納するように構成されてもよい。フォーム提出モジュールは、格納されたパスワードを検索し、パスワード認証操作をトリガするように構成されたパスワード呼び出しサブモジュールを更に含んでもよい。
【００９７】
上記の第４の実施形態は、この実施形態に対応し得る。この実施形態は、第４の実施形態のステップに従って対応して実行されてもよく、逆も同様である。第４の実施形態において開示された関連する技術的詳細は、この実施形態に適用可能である。従って、それらの技術的詳細は、繰り返しを避けるために、ここでは省略することができる。同様に、この実施形態において開示された関連する技術的詳細は、第４の実施形態に適用可能である。
【００９８】
本出願の機器実施形態において言及された様々なモジュールが全て論理モジュールであってもよいことに留意されたい。物理的には、論理モジュールは物理モジュール又は物理モジュールの一部であってもよい。論理モジュールは、複数の物理モジュールの組み合わせによって実現されてもよい。これらの論理モジュールの物理的な実施形態はそれほど重要でないこともあり得るが、しかし、これらの論理モジュールによって実現される機能の組み合わせは、本出願における技術的問題を解決する上で重要であり得る。加えて、本出願の革新的な部分を強調するために、本出願の機器実施形態は、本出願における技術的問題と関係がないモジュールを含まない場合もある。それは、機器実施形態が他のモジュールを含まないことを示していない可能性がある。
【００９９】
本出願の特許請求の範囲及び本明細書において、第１及び第２などの本出願における関係語は、１つのエンティティ又は操作を別のエンティティ又は操作から単に区別するために用いられ、これらのエンティティ又は操作間のいかなる実際のかかる関係又はシーケンスも要求することを意味しないことに留意されたい。更に、「含む（include）」、「含む（comprise）」という用語及びそれらの任意の他の変形は、非排他的な包含を含むように意図されている。一連の要素を含むプロセス、方法、物品、若しくは装置は、それらの要素を含むだけでなく、明示的に挙げられていない他の要素を含んでもよく、又はプロセス、方法、物品、若しくは装置の固有の要素を更に含んでもよい。より多くの限定がない状態で、「１つの．．．を含む（including a/an...）」という一文によって定義されるような要素は、要素を含むプロセス、方法、物品、又は装置における追加の同一要素を除外しなくてもよい。
【０１００】
本出願は、本出願の幾つかの好ましい実施形態に関連して図示及び説明されたが、当業者は、本出願の趣旨及び範囲から逸脱することなく、形態及び詳細においてそれらの異なる変形形態がなされ得ることを理解するべきである。
【図１】
0006704396.tif 000002
【図２】
0006704396.tif 000003
【図３】
0006704396.tif 000004
【図４】
0006704396.tif 000005
【図５】
0006704396.tif 000006
【図６】
0006704396.tif 000007
【図７】
0006704396.tif 000008
【図８】
0006704396.tif 000009
【図９】
0006704396.tif 000010
【図１０】
0006704396.tif 000011